(57)【要約】【課題】表示の遠方からの視認性の向上を図りつつ、医療施設や介護施設における病人，老人及び障害者等の安全性の確保の万全を図ることができる表示用具を提供する。【解決手段】平面視Ｖ字状に配設した左右一対の表示面１１Ａ，１１Ｂに同じく左右一対の表示窓１１ａを形成し、該表示窓１１ａにそれぞれ同一表示内容のネームプレート３０を装着してなる表示部１０を、建物の壁面Ｗに設けた収納凹部５０内に収納するとゝもに、該収納凹部の左右側壁５１，５２と表示部１１の間に各表示面１１Ａ，１１Ｂの視認可能範囲を確保するための所定間隔を設けた構成。【選択図】　　　　図１
2004145106.tif 000002
【特許請求の範囲】
【請求項１】
平面視Ｖ字状に配設した左右一対の表示面にそれぞれ表示窓を形成し、各表示窓にネームプレートを着脱自在に装着してなる表示部を建物の壁面に設けた収納凹部内に収納するとゝもに、該収納凹部の左右側壁と前記表示部との間に所定間隔を設けて、各表示面の視認可能範囲を確保する構成としたことを特徴とする表示用具。
【請求項２】
前記表示部の左右両側に、前記収納凹部の左右側壁と前記所定間隔を保つためのスペーサ部をそれぞれ設けたことを特徴とする請求項１記載の表示用具。
【請求項３】
前記表示部の各表示面に左右一対の前記表示窓を一組以上形成し、対になる各表示窓にそれぞれ同一表示内容のネームプレートを装着したことを特徴とする請求項１又は２記載の表示用具。
【請求項４】
前記ネームプレートを透光性材料で形成するとゝもに、該ネームプレートの背面側に照明器具を設置したことを特徴とする請求項１〜３のいずれか一つに記載の表示用具。
【請求項５】
前記表示部の各表示面と各スペーサ部の互いの上縁部及び下縁部にそれぞれ補強リブを連成したことを特徴とする請求項２〜４のいずれか一つに記載の表示用具。
【請求項６】
各スペーサ部を前記収納凹部の開口部に向けてそれぞれ上昇傾斜させたことを特徴とする請求項２〜５のいずれか一つに記載の表示用具。
【請求項７】
前記表示部の各表示面と各スペーサ部を互いに連続する凹状曲面とするとゝもに、各スペーサ部を前記収納凹部の開口部に向けてそれぞれ上昇傾斜させたことを特徴とする請求項２〜６のいずれか一つに記載の表示用具。
【発明の詳細な説明】
【０００１】
【発明の属する技術分野】
本発明は、医療施設や介護施設等における各種案内や入院患者の氏名などの表示に使用して最適な表示用具に関する。
【０００２】
【従来の技術】
例えば、図１２に示すように、病院では、各病室Ｘの入口に入院患者の氏名を表示する表示用具１００が設置してあり、該表示用具１００は複数枚のネームプレート１０１，１０１を建物の壁面Ｗの目線とほゞ同じ高さに固定したボード１０２に差し込んだ構成となっていた。
【０００３】
しかし、図４に示すように、見舞い客が廊下中央Ｙを図中矢印方向に歩きながら特定の入院患者の病室Ｘを探すような場合、ネームプレート１０１は壁面Ｗと平行に設置してあるため、該ネームプレート１０１の正面（図中符号Ｒ参照）に近づかないとその表示内容を視認することができず、廊下中央Ｙを歩きながら遠方のネームプレート１０１の表示内容を読み取ることができないという問題点があった。
【０００４】
このような問題点を解決するため、本出願人は、図１３に示すような表示用具２００を提案している（特開２００１−１８８４８８号公報参照）。この表示用具２００は、平面視Ｖ字状に配設した左右一対の表示面２１１Ａ，２１１Ｂにそれぞれ表示窓２１２，２１２を形成するとゝもに、各表示窓２１２にネームプレート２３０，２３０を着脱自在に装着してなる表示部２１０を、建物の壁面Ｗに固定した長方形状の取付板２２０に嵌合保持した構成となっている。
【０００５】
このような構成によれば、各ネームプレート２３０が壁面Ｗから所定の角度で突出して配置されるようになり、表示用具２００に近づかなくても遠方から各ネームプレート２０３の表示内容を容易に読み取ることができる。
【０００６】
【発明が解決しようとする課題】
しかし、上述した表示用具２００は表示内容の遠方からの視認性の向上という有用な効果を奏するものであるが、平面視Ｖ字状の表示部２１０が壁面Ｗから廊下側に突出しているので、場合によっては該表示部２１０に身体が衝当してしまうおそれがあった。
【０００７】
例えば、表示用具２００をオフィスビルなどに設置した場合は、表示部２１０程度の突出物に健常者である従業者等が衝当してしまうことはほとんどない。ところが、医療施設や介護施設では、体の自由が利かない病人，老人及び障害者等が壁づたいに移動し、又は、廊下で大きく距離を開けてすれ違うことが日常的に行われており、表示部２１０程度の突出物であっても衝当してしまうおそれがあった。この場合、表示部２１０に衝当すること自体にそれ程の危険性はないが、これが転倒の原因になって大事故につながる危険性があった。
【０００８】
このように医療施設や介護施設では、これを利用する病人，老人及び障害者等の障壁となり得るおそれのあるものを最大限に取り除き、安全性の確保の万全を図るべきであり、この点で表示用具２００には未だ改良の余地があった。
【０００９】
本発明は、上記問題点に鑑みてなされたものであり、表示の遠方からの視認性の向上を図りつつ、医療施設や介護施設における病人，老人及び障害者等の安全性の確保の万全を図ることができる表示用具を提供することを目的とする。
【００１０】
【課題を解決するための手段】
上記目的を達成するため、請求項１記載の表示用具は、平面視Ｖ字状に配設した左右一対の表示面にそれぞれ表示窓を形成し、各表示窓にネームプレートを着脱自在に装着してなる表示部を、建物の壁面に設けた収納凹部内に収納するとゝもに、該収納凹部の左右側壁と前記表示部の間に、各表示面の視認可能範囲を確保するための所定間隔を設けた構成としてあり、好ましくは、請求項２記載のように、前記表示部の左右両側に、前記収納凹部の左右側壁と前記所定間隔を保つためのスペーサ部をそれぞれ設けた構成とし、また、請求項３記載のように、前記表示部の各表示面に、左右一対の前記表示窓を一組以上形成し、対になる各表示窓にそれぞれ同一表示内容のネームプレートを装着した構成とする。
【００１１】
平面視Ｖ字状の前記表示部を建物の壁面に設けた収納凹部内に収納したことにより、該表示部の壁面からの突出をなくす又は少なくすることができ、該表示部との衝当を確実に防止し、医療施設や介護施設における病人，老人及び障害者等の安全性の確保の万全を図ることができる。
【００１２】
また、前記収納凹部の左右側壁と前記表示部の間に、各表示面の視認可能範囲を確保するための所定間隔を設けたことにより、前記表示部を収納凹部内に収納する構成でありながら、該収納凹部の左右側壁によって各表示面の視認可能範囲が阻害されないようにすることができる。
【００１３】
さらに、前記表示部を構成する左右一対の表示面を平面視Ｖ字状に配設するとゝもに、これら表示面の対になる各表示窓にそれぞれ同一表示内容のネームプレートを装着したことにより、進行方向に左右されることなく右側又は左側のいずれか一方のネームプレートを視認することができ、該ネームプレートに表示された表示内容を遠方からでも容易に読み取ることが可能となる。
【００１４】
好ましくは、請求項４記載のように、前記ネームプレートを透光性材料で形成するとゝもに、該ネームプレートの背面側に照明器具を設置した構成とし、暗所における視認性の向上を図ってもよい。
【００１５】
好ましくは、請求項５記載のように、前記表示部の各表示面と各スペーサ部の互いの上縁部及び下縁部にそれぞれ補強リブを連成した構成とし、前記表示部と各スペーサ部の結合強度の向上を図ってもよい。
【００１６】
好ましくは、請求項６記載のように、各スペーサ部を前記収納凹部の開口部に向けてそれぞれ上昇傾斜させた構成とし、また、請求項７記載のように、前記表示部の各表示面と各スペーサ部を互いに連続する凹状曲面とするとゝもに、前記スペーサ部を前記収納凹部の開口部に向けてそれぞれ上昇傾斜させた構成としてもよい。
【００１７】
このような構成によれば、前記表示部の視認可能範囲を狭めることなく、該表示部を収納凹部内に収納したときのデッドスペースを極力なくすことが可能となり、表示用具全体の外観をも向上させることができる。
【００１８】
【発明の実施の形態】
以下、本発明の第１実施形態に係る表示用具について、図１乃至図４を参照しつつ説明する。これら図面において、本実施形態の表示用具１は、合成樹脂製の表示用具本体１０と、同じく合成樹脂製の取付板２０と、透光性を有するアクリル製などのネームプレート３０と、照明器具（蛍光灯）４０と、建物の壁面Ｗに開口する収納凹部５０とからなっている。
【００１９】
前記表示用具本体１０は、内部を中空とした略三角柱状の表示部１１の左右両側に、長方形状のスペーサ部１２，１２を一体的に形成した構成としてある。このうち表示部１１は、平面視Ｖ字状に配設した左右一対の表示面１１Ａ，１１Ｂに、同じく左右一対の表示窓１１ａ，１１ａを一組形成した構成となっている。
【００２０】
各表示窓１１ａ，１１ａの周縁には、ネームプレート３０を保持するための周溝１１ｂ，１１ｂが設けてあり、表示部１１の天板に形成したスリット１１ｃ，１１ｃから各周溝１１ｂにネームプレート３０を挿抜するようになっている。本実施形態では、各表示窓１１ａ，１１ａに同一表示内容のネームプレート３０，３０が装着してある。
【００２１】
ここで、図３におけるＰは、表示用具本体１０を収納凹部５０に収納したときの表示面１１Ａに装着されたネームプレート３０の視認可能範囲を示すものであり、一点鎖線Ｐ１及び線Ｐ２（Ｑ２）により画されている。Ｐ１は表示面１１Ａと収納凹部５０の左側壁５１との間隔及び収納凹部５０の奥行きによって定まる視界の境界線であり、またＰ２は表示部１１の中心線であり、これらＰ１，Ｐ２より内側の範囲内で表示面１１Ａのネームプレート３０が視認可能となる。
【００２２】
これと同様にＱは、表示面１１Ｂのネームプレート３０の視認可能範囲を示すものであり、二点鎖線Ｑ１及び線Ｑ２（Ｐ２）により画されている。Ｑ１は表示面１１Ｂと収納凹部５０の右側壁５２との間隔等によって定まる視界の境界線であり、またＱ２は上記Ｐ２と全く同様であり、これらＱ１，Ｑ２より内側の範囲内で表示面１１Ｂのネームプレート３０が視認可能となる。
【００２３】
よって、本実施形態の表示用具１では、視認可能範囲Ｐ，Ｑを総合した広範囲内で各表示面１１Ａ，１１Ｂのネームプレート３０，３０を視認することができる。なお、実際には、細線Ｐ２，Ｑ２よりも外側の範囲で表示面１１Ａ，１１Ｂのネームプレート３０を視認可能であるが、この場合、Ｐ２よりも外側の範囲では表示面１１Ｂのネームプレート３０が視認可能であり、同様に、Ｑ２よりも外側の範囲では、表示面１１Ａのネームプレート３０が視認可能であるから、結局Ｐ２，Ｑ２によって表示面１１Ａ，１１Ｂのネームプレート３０，３０の視認可能範囲を区別することはあまり重要でない。
【００２４】
このように、表示面１１Ａ，１１Ｂのネームプレート３０，３０の視認可能範囲Ｐ，Ｑは境界線Ｐ１，Ｑ１の傾きによって定まり、これら境界線Ｐ１，Ｑ１の傾きは表示面１１Ａ，１１Ｂと収納凹部５０の左右側壁５１，５２との間隔及び収納凹部５０の奥行きによって定まるものである。したがって、収納凹部５０の奥行きを考慮しつつ、各表示面１１Ａ，１１Ｂと収納凹部５０の左右側壁５１，５２との間に視認可能範囲Ｐ，Ｑを十分に確保するための所定間隔を設ける必要があり、本実施形態では、表示部１１の左右両側に、収納凹部５０の左右側壁５１，５２と所定間隔を保つための前記スペーサ部１２，１２をそれぞれ一体的に形成した構成としてある。
【００２５】
前記取付板２０は全体が略長方形の板状体で、該取付板２０の正面には表示用具本体１０の外形に一致する凹状の取付部２１が設けてあり、該取付部２１の四隅近傍には、表示用具本体１０の各スペーサ部１２にあってその裏面の上下角部に突設した各係合凸部１２ａに対応する係合凹部２１ａが夫々形成してある。
【００２６】
前記照明器具４０は、取付板２０の取付部２１中央に配設してあり、取付部２１に表示用具本体１０を取り付けたとき、その表示部１１内に収まって内部からネームプレート３０を照明する。なお、本表示用具１では、表示部１１を収納凹部５０内に収納する構成となっているので、照明器具４０の果たす役割は従来の表示用具２００と比較して大きいといえる。
【００２７】
また前記収納凹部５０は、医療施設又は介護施設などの建物の壁面Ｗに設けてあり、前記取付板２０と一致する長方形状となっている。この収納凹部５０の縦幅・横幅は取付板２０と同じ寸法としてあり、又収納凹部５０の奥行きは表示用具本体１０を構成する表示部１１の頂部の高さとほぼ同じ寸法としてある。
【００２８】
このような本実施形態の表示用具１によれば、図２に示すように、平面視Ｖ字状の表示部１１を建物の壁面Ｗに設けた収納凹部５０内に収納したことにより、該表示部１１の壁面Ｗからの突出をなくす又は少なくすることができ、該表示部１１との衝当を確実に防止し、医療施設や介護施設における病人，老人及び障害者等の安全性の確保の万全を図ることができる。
【００２９】
また、各スペーサ部１２によって、収納凹部５０の左右側壁５１，５２と表示部１１との間に各表示面１１Ａ，１１Ｂの視認可能範囲Ｐ，Ｑを十分に確保するための所定間隔を確保したことにより、表示部１１を収納凹部５０内に収納する構成でありながら、該収納凹部５０の左右側壁５１，５２によって各表示面１１Ａ，１１Ｂの視認可能範囲が阻害されないようにすることができる。
【００３０】
さらに、表示部１１を構成する左右一対の表示面１１Ａ，１１Ｂを平面視Ｖ字状に配設するとゝもに、これら表示面１１Ａ，１１Ｂの各表示窓１１ａに同一表示内容のネームプレート３０，３０を装着したことにより、これら同一表示内容のネームプレート３０の視認可能範囲Ｐ，Ｑを総合的に拡張し、該表示内容を遠方から容易に読み取ることが可能となる。
【００３１】
詳述すると、図４におけるＰ，Ｑは本実施形態の表示用具１、Ｒは従来の表示用具１００の視認可能範囲を示すものである。両者の視認可能範囲を明確に特定し比較するための便宜として、各視認可能範囲Ｐ，Ｑ，Ｒは、表示面１１Ａ，１１Ｂの各ネームプレート３０（図１参照）及びネームプレート１０１（図１３参照）の各正面の視界に限定してある。
【００３２】
この図４から明らかなように、見舞い客が廊下中央Ｙを図中矢印方向に歩きながら特定の入院患者の病室Ｘを探すような場合、見舞い客は従来の表示用具１００の視認可能範囲Ｒより先に本実施形態の表示用具１の視認可能範囲Ｐ，Ｑに到達するので、本実施形態の表示用具１の方が各ネームプレート３０をより遠方から容易に読み取ることが可能である。
【００３３】
さらに、ネームプレート３０を透光性材料で形成するとゝもに、該ネームプレート３０の背面側に照明器具４０を設置した構成としたことにより、照明器具４０の光がネームプレート３０を透過して表示内容を明瞭に浮き上がらせ、暗所における視認性を向上させることができる。
【００３４】
次に、本発明の第２実施形態に係る表示用具２について、図５及び図６を参照しつつ説明する。これら図面において、本実施形態の表示用具２は、表示部１１と各スペーサ部１２の互いの上縁部及び下縁部にそれぞれ補強リブ１３Ａ，１３Ｂ，１３Ｃ，１３Ｄを連成した構成としてある。
【００３５】
このような構成によれば、表示部１１と各スペーサ部１２の結合強度を向上させることができ、特に表示内容の遠方からの視認可能な範囲を拡大するために各スペーサ部１２の横幅を長くした場合に有効である。
【００３６】
次に、本発明の第３実施形態に係る表示用具について、図７，図８及び図９を参照しつつ説明する。これら図面において、本実施形態の表示用具３は、表示部１１における各表示面１１Ａ，１１Ｂの下降端に、収納凹部５０の開口部に向けて上昇傾斜するスペーサ部１２，１２をそれぞれ連成した構成としてある。
【００３７】
すなわち、本実施形態における各スペーサ部１２は、表示部１１の視認可能範囲Ｐ，Ｑを狭めることなく、表示用具本体１０を収納凹部５０内に収納したときのデッドスペースを極力なくし、表示用具３全体の外観をも向上させる役割を果たしている。なお、第１実施形態の場合と同様、各スペーサ板１２の上下角部の近傍には、取付板２０と係合させるための矩形状の係合凸部１２ａ，１２ａ，１２ａ，１２ａが突設してある。
【００３８】
そして取付板２０は、表示用具本体１０の背面側の外形に一致する略四角錐台の受皿状の取付部２１と、その開口部を縁取るように一体的に形成された取付枠２２とで構成してあり、取付部２１の開口部の四隅近傍には表示用具本体１０の各係合凸部１２ａに対応する矩形状の係合凹部２１ａが形成してある。該取付板２０を収納凹部５０に取り付けると、その取付枠２２が収納凹部５０の開口部周縁を覆い隠し、該収納凹部５０が外部から一切見えなくなる。
【００３９】
このような本実施形態の表示用具３によれば、上述した各実施形態と同様に、壁面Ｗからの表示部１１の突出をなくす又は少なくすることができ、表示の遠方からの視認性の向上を図りつつ、医療施設や介護施設における病人，老人及び障害者等の安全性の確保の万全を図ることができる。
【００４０】
また、各スペーサ部１２を収納凹部５０の開口部に向かって上昇傾斜させたことにより、表示部１１の視認可能範囲を狭めることなく、表示用具本体１０を収納凹部５０内に収納したときのデッドスペースを極力なくすことが可能となり、表示用具３全体の外観を向上させることができるとゝもに、表示用具本体１０全体の直立安定性が良好となり、その脱落を防止を図ることができる。
【００４１】
これに加え、各スペーサ部１２を収納凹部５０の開口部に向かって上昇傾斜させたことにより、各スペーサ部１２がネームプレート３０を透過した照明器具４０の光を反射して表示部１１ないし表示用具本体１０の全体が発光し、夜間における視認性の向上に寄与する。
【００４２】
次に、本発明の第４実施形態に係る表示用具について、図１０及び図１１を参照しつつ説明する。これら図面において、本実施形態の表示用具４は、表示用具本体６０における表示部６１の表示面６１Ａ，６１Ｂとスペーサ部６２，６２とを互いに連続する凹状曲面とするとゝもに、各スペーサ部６２を収納凹部５０の開口部に向けてそれぞれ上昇傾斜させた構成としてある。
【００４３】
また、表示部６１には、それぞれ該表示部６１と同じ曲率で湾曲する表示窓６１ａ，スリット６１ｂ，周溝６１ｃが設けてある。さらに、表示用具本体６０の背面側にはその周縁部に沿って係合リブ６３が突設してある。取付板７０は表示用具本体６０と同一の外形寸法としてあり、その開口縁部７１の内側に表示用具本体６０の係合リブ６３を係合させることによって、該表示用具本体６０と一体となる構成となっている。
【００４４】
収納凹部８０は、表示用具本体６０及び取付板７０の外形寸法と同一の内形寸法としてあり、壁面Ｗへの施工時にこれら表示用具本体６０と取付板７０及び収納凹部８０がほぼ一致する構成としてある。
【００４５】
このような本実施形態の表示用具４によれば、上述した各実施形態と同様に、壁面Ｗからの表示部６１の突出をなくす又は少なくすることができ、表示の遠方からの視認性の向上を図りつつ、医療施設や介護施設における病人，老人及び障害者等の安全性の確保の万全を図ることができる。
【００４６】
また、表示部６１と各スペーサ板６２を互いに連続する凹状曲面としたことにより、緩やかな円弧の凹みで表示部６１の十分な視認可能範囲を確保することができるとゝもに、収納凹部８０内のデッドスペースをより削減することが可能となり、表示用具４全体の外観を更に向上させることができる。
【００４７】
なお、本発明の表示用具は上記実施形態に限定されるものではない。例えば、上記実施形態では、各表示面１１Ａ，１１Ｂに左右一対の表示窓１１ａ，１１ａを一組形成した構成としたが、これに限らず、各表示面１１Ａ，１１Ｂに、左右一対の表示窓１１ａ，１１ａを二組以上形成し、対になる各表示窓１１ａ，１１ａにそれぞれ同一表示内容のネームプレート３０，３０を装着する構成としてもよい。
【００４８】
また、上記各実施形態では、取付板２０，７０を介して表示用具本体１０，６０を収納凹部５０，８０内に取り付ける構成としたが、これに限らず、取付板２０，７０を構成から除外して表示用具本体１０，６０を直接収納凹部５０，８０に固定する構成としてもよい。ただし、取付板２０，７０を介して表示用具本体１０，６０を取り付けた方が、該表示用具本体１０，６０を収納凹部５０，８０から容易に着脱することができ、ネームプレート３０の交換作業を容易に行うことができるという利点がある。
【００４９】
【発明の効果】
以上のように、請求項１，２又は３に記載した本発明の表示用具によれば、平面視Ｖ字状の前記表示部を建物の壁面に設けた収納凹部内に収納したことによって、該表示部の壁面からの突出をなくす又は少なくすることができ、該表示部との衝当を確実に防止し、医療施設や介護施設における病人，老人及び障害者等の安全性の確保の万全を図ることができる。
【００５０】
また、前記収納凹部の左右側壁と前記表示部の間に、各表示面の視認可能範囲を確保するための所定間隔を設けたことにより、前記表示部を収納凹部内に収納する構成でありながら、該収納凹部の左右側壁によって各表示面の視認可能範囲が阻害されないようにすることができる。
【００５１】
さらに、前記表示部を構成する左右一対の表示面を平面視Ｖ字状に配設するとゝもに、これら表示面の対になる各表示窓にそれぞれ同一表示内容のネームプレートを装着したことにより、これら同一表示内容のネームプレートの視認可能範囲が総合的に拡張し、該表示内容を遠方から容易に読み取ることが可能となる。
【００５２】
これに加え、請求項４記載のように、前記ネームプレートを透光性材料で形成するとゝもに、該ネームプレートの背面側に照明器具を設置した構成とした場合は、暗所における視認性の向上を図ることができる。
【００５３】
また、請求項５記載のように、前記表示部における各表示面と各スペーサ部の互いの上縁部及び下縁部に、それぞれ補強リブを連成した構成とした場合は、前記表示部と各スペーサ部の結合強度の向上を図ってもよい。
【００５４】
さらに、請求項６記載のように、各スペーサ部を前記収納凹部の開口部に向けてそれぞれ上昇傾斜させた構成とし、また、請求項７記載のように、前記表示部の各表示面と各スペーサ部とを互いに連続する凹状曲面とするとゝもに、各スペーサ部を前記収納凹部の開口部に向けてそれぞれ上昇傾斜させた構成とした場合は、前記表示部の視認可能範囲を狭めることなく、該表示部を収納凹部内に収納したときのデッドスペースを極力なくすことが可能となり、表示用具全体の外観を向上させることができる。
【図面の簡単な説明】
【図１】本発明の第１実施形態に係る表示用具の分解斜視図である。
【図２】図１に示す本表示用具の設置状態を示す斜視図である。
【図３】図２のＡ−Ａ線断面説明図である。
【図４】本表示用具と図１２に示す従来の表示用具における表示内容の視認可能範囲を比較するための説明図である。
【図５】本発明の第２実施形態に係る表示用具の分解斜視図である。
【図６】図５に示す本表示用具の設置状態を示す斜視図である。
【図７】本発明の第３実施形態に係る表示用具の分解斜視図である。
【図８】図７に示す本表示用具の設置状態を示す斜視図である。
【図９】図８のＢ−Ｂ線断面作用説明図である。
【図１０】本発明の第４実施形態に係る表示用具の分解斜視図である。
【図１１】図１０に示す本表示用具の設置状態を示す斜視図である。
【図１２】従来の表示用具を示す斜視図である。
【図１３】その他の従来の表示用具を示す斜視図である。
【符号の説明】
１，２，３，４　表示用具
１０，６０　表示用具本体
１１，６１　表示部
１１Ａ，１１Ｂ，６１Ａ，６１Ｂ　表示面
１１ａ，６１ａ　表示窓
１１ｂ，６１ｂ　周溝
１１ｃ，６１ｃ　スリット
１２，６２　スペーサ部
１２ａ　係合凸部
１３Ａ，１３Ｂ，１３Ｃ，１３Ｄ　補強リブ
２０，７０　取付板
２１　取付部
２１ａ　係合凹部
３０　ネームプレート
４０　照明器具（蛍光灯）
Ｗ　壁面
５０，８０　収納凹部
５１　左側面
５２　右側面
【図１】
2004145106.tif 000003
【図２】
2004145106.tif 000004
【図３】
2004145106.tif 000005
【図４】
2004145106.tif 000006
【図５】
2004145106.tif 000007
【図６】
2004145106.tif 000008
【図７】
2004145106.tif 000009
【図８】
2004145106.tif 000010
【図９】
2004145106.tif 000011
【図１０】
2004145106.tif 000012
【図１１】
2004145106.tif 000013
【図１２】
2004145106.tif 000014
【図１３】
2004145106.tif 000015